(57)【要約】【課題】音声情報記録時の不具合を音声情報再生時に調整する情報再生方法および情報再生装置を提供する。【解決手段】  本発明の情報再生方法は、音声を示す音声情報を少なくとも含む再生情報の再生終了時刻を検出するステップと、前記再生情報の再生時刻が、前記再生終了時刻から所定の時間前である基準時刻を経過したか否かを判定するステップと、前記再生時刻が前記基準時刻を経過したと判定された場合には、前記再生時刻が前記再生終了時刻に至るまで、前記基準時刻における前記音声情報の出力レベルよりも低い出力レベルで前記音声情報を再生するステップとを包含する。【選択図】図１
2005276246.tif 000002
【特許請求の範囲】
【請求項１】
音声を示す音声情報を少なくとも含む再生情報の再生終了時刻を検出するステップと、
前記再生情報の再生時刻が、前記再生終了時刻から所定の時間前である基準時刻を経過したか否かを判定するステップと、
前記再生時刻が前記基準時刻を経過したと判定された場合には、前記再生時刻が前記再生終了時刻に至るまで、前記基準時刻における前記音声情報の出力レベルよりも低い出力レベルで前記音声情報を再生するステップと
を包含する、情報再生方法。
【請求項２】
前記再生情報は、映像を示す映像情報をさらに含み、
前記再生終了時刻に再生される映像情報は、記録停止要求情報の受理時に記録中であった映像情報であり、
前記記録停止要求情報は、前記再生情報の記録の停止要求を示す、請求項１に記載の情報再生方法。
【請求項３】
前記再生情報は、映像を示す映像情報をさらに含み、
前記再生終了時刻に再生される映像情報は、記録停止要求情報の受理時に表示中であった映像情報であり、
前記記録停止要求情報は、前記再生情報の記録の停止要求を示す、請求項１に記載の情報再生方法。
【請求項４】
前記再生情報は、映像を示す映像情報をさらに含み、
前記再生終了時刻は、前記映像情報に含まれるＰｒｅｓｅｎｔａｔｉｏｎ  Ｔｉｍｅ  Ｓｔａｍｐによって示される、請求項１に記載の情報再生方法。
【請求項５】
前記再生情報は、映像を示す映像情報をさらに含み、
前記再生終了時刻は、Ｐｒｏｇｒａｍ  Ｃｌｏｃｋ  Ｒｅｆｅｒｅｎｃｅによって示される、請求項１に記載の情報再生方法。
【請求項６】
音声を示す音声情報を少なくとも含む再生情報の再生終了時刻を検出する再生時刻検出部と、
前記再生情報の再生時刻が、前記再生終了時刻から所定の時間前である基準時刻を経過したか否かを判定する判定部と、
前記再生時刻が前記基準時刻を経過したと判定された場合には、前記再生時刻が前記再生終了時刻に至るまで、前記基準時刻における前記音声情報の出力レベルよりも低い出力レベルで前記音声情報を再生する音声情報再生部と
を備えた、情報再生装置。
【請求項７】
前記再生情報は、映像を示す映像情報をさらに含み、
前記再生終了時刻に再生される映像情報は、記録停止要求情報の受理時に記録中であった映像情報であり、
前記記録停止要求情報は、前記再生情報の記録の停止要求を示す、請求項６に記載の情報再生装置。
【請求項８】
前記再生情報は、映像を示す映像情報をさらに含み、
前記再生終了時刻に再生される映像情報は、記録停止要求情報の受理時に表示中であった映像情報であり、
前記記録停止要求情報は、前記再生情報の記録の停止要求を示す、請求項６に記載の情報再生装置。
【請求項９】
前記再生情報は、映像を示す映像情報をさらに含み、
前記再生終了時刻は、前記映像情報に含まれるＰｒｅｓｅｎｔａｔｉｏｎ  Ｔｉｍｅ  Ｓｔａｍｐによって示される、請求項６に記載の情報再生装置。
【請求項１０】
前記再生情報は、映像を示す映像情報をさらに含み、
前記再生終了時刻は、Ｐｒｏｇｒａｍ  Ｃｌｏｃｋ  Ｒｅｆｅｒｅｎｃｅによって示される、請求項６に記載の情報再生装置。
【発明の詳細な説明】
【技術分野】
【０００１】
本発明は、少なくとも音声情報を含む再生情報を所定の出力レベルで再生する情報再生方法および情報再生装置に関する。
【背景技術】
【０００２】
従来のアナログ放送では、アナログ信号が放送局から配信される。アナログ信号は、互いに同期し、重畳した映像信号と音声信号とを含む。ユーザは、配信されたアナログ信号を視聴するためにアナログ信号受信装置によってアナログ信号を受信する。
【０００３】
例えば、アナログ信号受信装置には、ユーザーの指示、またはユーザーの設定によって、記録開始要求および記録終了要求が与えられる。アナログ信号受信装置は、記録開始要求を受け付けた時点でアナログ信号の記録を開始し、記録終了要求を受け付けた時点でアナログ信号の記録を終了する。記録時間が極端に短い場合には、記録時間を視覚や聴覚で確認できないため、記録開始要求から一定時間経過後でなければ記録終了要求を受け付けないという処理も提案されている（例えば、特許文献１参照）。
【０００４】
最近サービスを開始したデジタル放送では、デジタル信号が放送局から配信される。デジタル信号は、圧縮符号化された映像信号と音声信号とを含む。したがって、デジタル信号を受信するデジタル信号受信装置は、従来のアナログ信号受信装置とは異なり、圧縮符号化された映像データや圧縮符号化された音声データを復号化するデコーダを備える。
【０００５】
デジタル放送では、圧縮符号化方式としてＭＰＥＧ方式が広く採用されている。ＭＰＥＧ方式では、映像信号と音声信号とが個別に圧縮符号化され、圧縮符号化された映像信号と圧縮符号化された音声信号とが所定のサイズのデータブロックに分割多重化される。
【０００６】
以下、ＭＰＥＧ方式について詳細に説明する。
【０００７】
ＭＰＥＧ方式（ＩＳＯ／ＩＥＣ１３８１８）は、映像信号や音声信号を圧縮符号化するために採用される国際標準規格である。ＭＰＥＧ方式では、映像信号と音声信号とを含むデジタルストリームを配信するためにトランスポートストリーム（ＴＳ）を規定している。近年のＬＳＩ技術の進歩によって、伸長ＬＳＩと圧縮ＬＳＩとを利用したＭＰＥＧコーデックが実用化されてきた。ＭＰＥＧコーデックの実用化にともなって、デジタル放送も実用化されてきた。
【０００８】
高効率なデータ圧縮を実現するために、ＭＰＥＧ方式は主に２つの特徴を有する。
【０００９】
一つ目の特徴は、動画像データを圧縮するために、空間周波数特性を用いた圧縮方式の他に、フレーム間の時間相関特性を用いた圧縮方式を取り入れたことである。
【００１０】
フレーム間の時間相関特性を用いた圧縮方式では、複数のフレーム（ＭＰＥＧ方式ではピクチャとも呼ぶ）は、Ｉピクチャ、ＰピクチャおよびＢピクチャの３種類に分類される。
【００１１】
図９は、ＩピクチャとＰピクチャとＢピクチャとの時間相関を示す。
【００１２】
Ｐピクチャは過去で一番近いＩピクチャまたはＰピクチャを参照し、Ｂピクチャは過去および未来の一番近いＩピクチャまたはＰピクチャを参照する。Ｂピクチャが未来のＩピクチャまたはＰピクチャを参照するため、各ピクチャの表示順（ｄｉｓｐｌａｙ  ｏｒｄｅｒ）と圧縮されたデータでの順番（ｃｏｒｄｉｎｇ  ｏｒｄｅｒ）とが一致しない場合がある。
【００１３】
ＭＰＥＧ方式で圧縮符号化された映像データは、先述したように過去および未来のフレーム間の予測に基づいて生成され、単独のフレームのみに基づいて生成されない。したがって、ＰピクチャとＢピクチャのみが含まれるデジタル信号を受信した場合に、受信したデジタル信号を延々描画出来ない。
【００１４】
デジタル信号受信装置が番組の途中からデジタル信号を受信した場合であってもデジタル信号の描画開始を遅延なく行うために、ＭＰＥＧ方式では、ＧＯＰ（Ｇｒｏｕｐ  ｏｆ  Ｐｉｃｔｕｒｅｓ）という構造を定義する。Ｉピクチャが少なくとも１枚含まれる複数のフレームを１グループとしてＧＯＰを構成することによって、番組の途中からデジタル信号を受信した場合も、ＧＯＰの先頭を受信できれば、ＧＯＰの先頭からデコード可能になる。
【００１５】
二つ目の特徴は、ピクチャ単位で、画像の複雑さに応じた動的な符号量割り当てが可能なことである。ＭＰＥＧ方式に対応したデコーダは、入力バッファを備える。この入力バッファに予めデータを格納することによって圧縮の難しい複雑な画像に対して大量の符号量を割り当てることができる。
【００１６】
音声データも、ＭＰＥＧオーディオ、ドルビーディジタル（ＡＣ−３）、非圧縮のＬＰＣＭなどの方式で圧縮することができる。
【００１７】
圧縮符号化されたＡＶデータ（圧縮符号化された映像データおよび圧縮符号化された音声データ）は、ＭＰＥＧ−ＴＳシステムストリーム方式に従って一本のストリームに多重化される。ＭＰＥＧ−ＴＳシステムストリームは、少なくとも１つのプログラム（番組）のストリームを含む。
【００１８】
図１０は、ＭＰＥＧ−ＴＳシステムストリームの構成を示す。
【００１９】
図１０（ａ）は、映像データや音声データのエレメンタリーストリームの構成を示す。図１０（ｂ）は、ＭＰＥＧ−２システムで定義されるＰＥＳパケット２０の構成を示す。図１０（ｃ）は、ＴＳパケット２５の構成を示す。図１０（ｄ）は、トランスポートストリームの構成を示す。
【００２０】
図１０（ｂ）を参照して、ＰＥＳパケット２０の構成を説明する。
【００２１】
ＰＥＳパケット２０は、ＰＥＳヘッダ２１と、ＥＳ（エレメンタリストリーム）Ｄａｔａ２２とを含む。エレメンタリーストリーム（ＡＶデータ）は先頭から適当なサイズに分割される。ＥＳ  Ｄａｔａ２２は、分割されたエレメンタリーストリームを含む。ＰＥＳヘッダ２１は、ＥＳ  Ｄａｔａ２２に含まれているデータに関する情報を含む。ＥＳ  Ｄａｔａ２２に含まれているデータに関する情報は、例えば、ＥＳ  Ｄａｔａ２２含まれているデータを識別するＩＤ（ｓｔｒｅａｍ  ＩＤ）、ＥＳ  Ｄａｔａ２２に含まれているデータのデコード時刻ＤＴＳ（Ｄｅｃｏｄｉｎｇ  Ｔｉｍｅ  Ｓｔａｍｐ）および表示時刻ＰＴＳ（Ｐｒｅｓｅｎｔａｔｉｏｎ  Ｔｉｍｅ  Ｓｔａｍｐ）である。ＤＴＳおよびＰＴＳは、９０ｋＨｚの精度で表記される。なお、データのデコードとデータの表示とが同時刻の場合、ＰＥＳヘッダ２１は、ＤＴＳを含む必要がない。このようなデータは、例えば、音声データである。
【００２２】
図１０（ｃ）を参照して、ＴＳパケット２５の構成を説明する。
【００２３】
ＴＳパケット２５は、ＴＳパケットヘッダ２３とペイロード２４とを含む。ＭＰＥＧ−ＴＳシステムストリーム方式では、ＰＥＳパケット２０よりサイズが小さいＴＳパケット２５を配信する。ペイロード２４は、分割されたＰＥＳパケット２０を含む。ＴＳパケットヘッダ２３は、ＰＣＲ（Ｐｒｏｇｒａｍ  Ｃｌｏｃｋ  Ｒｅｆｅｒｅｎｃｅ）を含む。ＰＣＲは、ＴＳパケット２５に含まれるデータがデコーダバッファに入力される時刻を示す。ＰＣＲは、２７ＭＨｚの精度で表記される。
【００２４】
図１１は、ＭＰＥＧ−ＴＳシステムデコーダ３００の構成を示す。ＭＰＥＧ−ＴＳシステムデコーダ３００は、ＭＰＥＧ−ＴＳシステムストリームをデコードする。
【００２５】
ＭＰＥＧ−ＴＳシステムデコーダ３００は、デマルチプレクサ３１と、ビデオエレメンタリストリームのトランスポートバッファ３２と、ビデオエレメンタリストリームのマルチプレキシングバッファ３３と、ビデオエレメンタリストリームのエレメンタリストリームバッファ３４と、ビデオデコーダ３５と、リオーダバッファ３６と、スイッチ３７と、オーディオエレメンタリストリームのトランスポートバッファ３８と、オーディオエレメンタリストリームのメインバッファ３９と、オーディオデコーダ４０と、システムタイムクロック生成器４１とを含む。
【００２６】
デマルチプレクサ３１は、システムストリームをデコードする（即ち多重化を解く）。リオーダバッファ３６は、ＩピクチャとＢピクチャとの間で生じるデータ順と表示順の違い、またはＰピクチャとＢピクチャとの間で生じるデータ順と表示順の違いを吸収するためにＩピクチャまたはＰピクチャを一時的に格納する。スイッチ３７は、リオーダバッファ３６に格納されたＩピクチャまたはＰピクチャの出力順を調整する。システムタイムクロック発生器４１はＭＰＥＧ−ＴＳシステムデコーダ３００内の規準時刻であるＳＴＣ（Ｓｙｓｔｅｍ  Ｔｉｍｅ  Ｃｌｏｃｋ）を生成する。
【００２７】
以下、ＭＰＥＧ−ＴＳシステムデコーダ３００がＭＰＥＧ−ＴＳシステムストリームを処理する手順を説明する。
【００２８】
デマルチプレクサ３１は、ＳＴＣとＰＣＲとが一致した時に、ＴＳパケット２５を入力する。デマルチプレクサ３１は、ＴＳパケットヘッダ２３に含まれたＰＩＤを解読し、ペイロード２４に含まれたデータがビデオエレメンタリストリームである場合には、トランスポートバッファ３２にＴＳパケット２５を転送する。ペイロード２４に含まれたデータがオーディオエレメンタリストリームである場合には、トランスポートバッファ３８にＴＳパケット２５を転送する。
【００２９】
ビデオデコーダ３５は、ＰＥＳヘッダ２１に含まれるＤＴＳを取り出す。ビデオデコーダ３５は、ＳＴＣとＤＴＳとが一致した時刻にエレメンタリストリームバッファ３４からピクチャデータを取り出しデコードする。ＩピクチャとＰピクチャとは、リオーダバッファ３６に格納され、Ｂピクチャはそのまま表示出力される。
【００３０】
ビデオデコーダ３５によってデコードされているピクチャがＩピクチャまたはＰピクチャである場合、スイッチ３７は、リオーダバッファ３６側へ傾けられ、リオーダバッファ３６内のＩピクチャまたはＰピクチャが出力される。
【００３１】
ビデオデコーダ３５によってデコードされているピクチャがＢピクチャである場合、スイッチ３７は、ビデオデコーダ３５側へ傾けられ、Ｂピクチャが出力される。
【００３２】
オーディオデコーダ４０は、ＰＥＳヘッダ２１に含まれるＰＴＳを取り出す。オーディオデコーダ４０は、ＳＴＣとＰＴＳとが一致した時刻にメインバッファ３９から１オーディオフレーム分のデータを取り出しデコードする。
【００３３】
図１２は、ビデオフレーム、ビデオバッファ、ＭＰＥＧストリーム、およびオーディオデータを示す。
【００３４】
図１２（ａ）はビデオフレームを示す。図１２（ｂ）はビデオバッファ占有量の時間遷移を示す。図１２（ｃ）はＭＰＥＧストリームを示す。図１２（ｄ）はオーディオデータを示す。
【００３５】
図１２（ａ）〜（ｄ）の横軸は、時間軸を示し、図１２（ａ）〜（ｄ）は、同一時間軸上に描かれている。
【００３６】
図１２（ｂ）の縦軸はバッファ占有量（ビデオバッファのデータ蓄積量）を示し、図１２（ｂ）中の太線はバッファ占有量の時間遷移を示す。図１２（ｂ）中の太線の傾きはビデオビットレートに相当し、一定のレートでデータがバッファに入力されることを示す。一定間隔のバッファ占有量の削減は、データがデコードされた事を示す。斜め点線と時間軸の交点はビデオフレームのビデオバッファへのデータ転送開始時刻を示す。
【００３７】
図１２を参照して、ＭＰＥＧシステムストリームの多重化方法を説明する。
【００３８】
ビデオバッファへのデータ転送はデータのデコード時刻ではなく時刻ｔ１から開始しなければならない（図１２（ｂ）参照）。なお、データ入力開始時刻ｔ１からデコードまでの時間をｖｂｖ＿ｄｅｌａｙと称する（図１２（ｂ）参照）。
【００３９】
その結果、網掛けされたビデオパックの位置（時刻）に、映像データはＡＶデータとして多重化される。一方、映像データの様にダイナミックな符号量制御を必要としない音声データの転送はデコード時刻より特別に早める必要はないので、一般的にデコード時刻の少し前で多重化される。従って、同じ時刻に再生される映像データと音声データのうち、映像データが音声データに先行して多重化される。
【特許文献１】特開２００１−２６５３９１号公報
【発明の開示】
【発明が解決しようとする課題】
【００４０】
ユーザーから記録停止要求が発行された時にすぐにストリームの記録動作を終了しても、圧縮符号化された映像データと圧縮符号化された音声データとが多重化されたストリームを受信し記録する従来の装置によって、記録終了時刻に相当する映像データに同期した音声データを記録することができない。
【００４１】
したがって、記録したストリームを最後まで再生する場合、（ｉ）音声データが出力されない、（ｉｉ）音声データが途切れるときにノイズ（ポツ音など）が発生するなどの問題が生じる。
【００４２】
本発明は、上記問題点に鑑みてなされたものであり、音声情報記録時の不具合を音声情報再生時に調整する情報再生方法および情報再生装置を提供することを目的とする。
【課題を解決するための手段】
【００４３】
本発明の情報再生方法は、音声を示す音声情報を少なくとも含む再生情報の再生終了時刻を検出するステップと、前記再生情報の再生時刻が、前記再生終了時刻から所定の時間前である基準時刻を経過したか否かを判定するステップと、前記再生時刻が前記基準時刻を経過したと判定された場合には、前記再生時刻が前記再生終了時刻に至るまで、前記基準時刻における前記音声情報の出力レベルよりも低い出力レベルで前記音声情報を再生するステップとを包含し、これにより、上記目的が達成される。
【００４４】
前記再生情報は、映像を示す映像情報をさらに含み、前記再生終了時刻に再生される映像情報は、記録停止要求情報の受理時に記録中であった映像情報でよい。前記記録停止要求情報は、前記再生情報の記録の停止要求を示す。
【００４５】
前記再生情報は、映像を示す映像情報をさらに含み、前記再生終了時刻に再生される映像情報は、記録停止要求情報の受理時に表示中であった映像情報でよい。
【００４６】
前記再生情報は、映像を示す映像情報をさらに含み、前記再生終了時刻は、前記映像情報に含まれるＰｒｅｓｅｎｔａｔｉｏｎ  Ｔｉｍｅ  Ｓｔａｍｐによって示されてもよい。
【００４７】
前記再生情報は、映像を示す映像情報をさらに含み、前記再生終了時刻は、Ｐｒｏｇｒａｍ  Ｃｌｏｃｋ  Ｒｅｆｅｒｅｎｃｅによって示されてもよい。
【００４８】
本発明の情報再生装置は、音声を示す音声情報を少なくとも含む再生情報の再生終了時刻を検出する再生時刻検出部と、前記再生情報の再生時刻が、前記再生終了時刻から所定の時間前である基準時刻を経過したか否かを判定する判定部と、前記再生時刻が前記基準時刻を経過したと判定された場合には、前記再生時刻が前記再生終了時刻に至るまで、前記基準時刻における前記音声情報の出力レベルよりも低い出力レベルで前記音声情報を再生する音声情報再生部とを備え、これにより、上記目的が達成される。
【００４９】
前記再生情報は、映像を示す映像情報をさらに含み、前記再生終了時刻に再生される映像情報は、記録停止要求情報の受理時に記録中であった映像情報でよい。前記記録停止要求情報は、前記再生情報の記録の停止要求を示す。
【００５０】
前記再生情報は、映像を示す映像情報をさらに含み、前記再生終了時刻に再生される映像情報は、記録停止要求情報の受理時に表示中であった映像情報でよい。
【００５１】
前記再生情報は、映像を示す映像情報をさらに含み、前記再生終了時刻は、前記映像情報に含まれるＰｒｅｓｅｎｔａｔｉｏｎ  Ｔｉｍｅ  Ｓｔａｍｐによって示されてもよい。
【００５２】
前記再生情報は、映像を示す映像情報をさらに含み、前記再生終了時刻は、Ｐｒｏｇｒａｍ  Ｃｌｏｃｋ  Ｒｅｆｅｒｅｎｃｅによって示されてもよい。
【発明の効果】
【００５３】
本発明の情報再生方法および本発明の情報再生装置によれば、再生時刻が基準時刻を経過したと判定された場合には、再生時刻が再生終了時刻に至るまで、基準時刻における音声情報の出力レベルよりも低い出力レベルで音声情報を再生する。その結果、音声情報が記録されていないことに起因して発生するノイズを低減することができ、高品質なＡＶ情報を再生できる。
【００５４】
本発明の情報再生方法および本発明の情報再生装置によれば、記録媒体の再生終了位置付近に記録された情報の再生時に生じる不具合（例えば、音声が急に無くなること、ノイズの発生）を防ぐことができ、ユーザーが期待する再生機能を実現できる。
【００５５】
本発明の情報再生方法および本発明の情報再生装置によれば、自社システムで記録した記録媒体だけでなく、他社システムで記録した記録媒体に対しても、ユーザーが期待する再生機能を実現できる。
【発明を実施するための最良の形態】
【００５６】
以下、本発明の実施の形態について、図面を参照して説明する。
１．デジタル信号記録再生装置１００の構成
図１は、本発明のデジタル信号記録再生装置１００の構成を示す。
【００５７】
デジタル信号記録再生装置１００は、ユーザインターフェース部１５１と、システム制御部１５２と、入力部１５３と、トランスポートストリームデコーダ１５４（以下、ＴＳＤ１５４と記載する）と、録画バッファ１５５と、ドライブ１５６と、再生バッファ１５７と、デコーダ部１５８と、出力部１５９と、情報格納部１６０とを含む。
【００５８】
ユーザインターフェース部１５１は、ユーザからの種々の要求を受け付ける。ユーザインターフェース部１５１は、ユーザからの種々の要求をシステム制御部１５２に発行する。種々の要求は、例えば、どのチャンネルを選択するかを要求するチャンネル選択要求、録画の開始を要求する録画開始要求、録画の停止を要求する録画停止要求、再生を要求する再生要求である。
【００５９】
システム制御部１５２は、デジタル信号記録再生装置１００に含まれる少なくとも１つの構成要素の管理および制御、並びに管理情報の生成および解析を行う。例えば、システム制御部１５２は、ユーザインターフェース部１５１から発行された種々の要求に従って、少なくとも１つの構成要素を制御する。
【００６０】
管理情報は、例えば、ストリームファイルの再生区間情報（例えば、再生開始時刻情報と再生終了時刻情報、再生開始位置情報と再生終了位置情報）とストリームファイルに含まれるＧＯＰ管理テーブルとを含む。ＧＯＰ管理テーブルは、情報格納部１６０での各ＧＯＰデータ記録位置、情報格納部１６０での各ＧＯＰデータサイズを含む。管理情報は、例えば、媒体タイプタグ情報やノイズ対策済みを示すノイズ対策済みタグ情報を含んでもよい。媒体タイプタグ情報は、情報格納部１６０がデジタル信号記録再生装置１００に内蔵された媒体であることを示す。
【００６１】
なお、システム制御部１５２の機能の詳細は、後述される。
【００６２】
入力部１５３は、システム制御部１５２の制御に従って、放送局から送信されるフルトランスポートストリーム（デジタル信号）を受信し、ＴＳＤ１５４に送信する。入力部１５３は、例えば、デジタルチューナである。
【００６３】
ＴＳＤ１５４は、システム制御部１５２の制御に従って、受信したフルトランスポートストリームから所望のストリームを抜き出すことによって、パーシャルトランスポートストリームを生成する（フルトランスポートストリームのパーシャル化）。
【００６４】
ＴＳＤ１５４は、パーシャルトランスポートストリームから、ＧＯＰとそのＧＯＰに含まれる最小のＰＣＲとを検出する。ＴＳＤ１５４は、パーシャルトランスポートストリームを録画バッファ１５５に出力しながら、ＧＯＰとそのＧＯＰに含まれる最小のＰＴＳとを検出し、そのＧＯＰが書き込まれる録画バッファ１５５のアドレスとＰＴＳの値とをシステム制御部１５２に通知する。システム制御部１５２は、受け取ったＧＯＰの録画バッファ１５５のアドレスとＰＴＳとを必要個数だけ保持し、録画バッファ１５５のＧＯＰを管理する。システム制御部１５２は、例えば、カレント位置から約２秒分の情報を管理する。
【００６５】
録画バッファ１５５は、システム制御部１５２の制御に従って、パーシャルトランスポートストリームを一時的に格納する。録画バッファ１５５のサイズはシステムの機能仕様に基づく。録画バッファ１５５は、例えば、１０秒以上のトランスポートストリームを蓄積する。
【００６６】
ドライブ１５６は、システム制御部１５２の制御に従って、情報格納部１６０への情報の格納、および情報格納部１６０からの情報の取り出しを行う。
【００６７】
再生バッファ１５７は、ＴＳＤ１５４から転送されたパーシャルトランスポートストリーム、またはドライブ１５６から転送された情報格納部１６０の情報を一時的に格納する。
【００６８】
デコーダ部１５８は、システム制御部１５２の制御に従って、デコーダ部１５８に入力された情報をデコードし、デコードされた情報を出力部１５９に送る。
【００６９】
デコーダ部１５８の内部バッファがアンダーフローしないようにトランスポートストリームがデコーダ部１５８に送り込まれる。一般に、デコーダ部１５８のバッファリングモデルを満たすように放送局からデータが送信されるため、再生バッファ１５７でデータが枯渇することによって、デコーダ部１５８でアンダーフローが発生することはない。デコーダ部１５８は、例えば、システムデコーダ、オーディオデコーダ、またはビデオデコーダを含む。
【００７０】
出力部１５９は、システム制御部１５２の制御に従って、デコードされた情報を出力する。出力部１５９は、例えば、モニタまたはスピーカである。
【００７１】
情報格納部１６０は、情報を格納する。例えば、格納される情報は管理情報である。情報格納部１６０は、例えば、ＨＤＤ、ＤＶＤ−ＲＡＭである。
【００７２】
以下、システム制御部１５２の機能を詳細に説明する。
【００７３】
システム制御部１５２は、再生開始時にドライブ１５６を制御することによって、情報格納部１６０から管理情報を入手する。システム制御部１５２は、再生情報の再生終了時刻を検出する。再生情報は、少なくとも音声情報を含む。例えば、システム制御部１５２は、再生開始時にドライブ１５６を制御することによって、情報格納部１６０から再生情報の再生終了時刻情報を入手する。再生情報の再生終了時刻情報は、管理情報に含まれている。
【００７４】
再生中、システム制御部１５２はデコーダ部１５８からＧＯＰ毎の再生時刻を入手することで、再生情報の現在時刻情報を検出する。
【００７５】
システム制御部１５２は、再生情報の再生時刻が再生終了時刻から所定の時間前である基準時刻を経過したか否かを判定する。例えば、システム制御部１５２は、再生情報の現在時刻情報と再生終了時刻情報の差分を計算し、差分がしきい値より小さいか否かを判定する。
【００７６】
再生時刻が基準時刻を経過したと判定された場合には、システム制御部１５２は、再生時刻が再生終了時刻に至るまで、基準時刻における音声データの出力レベルよりも低い出力レベルで音声データを再生するように出力部１５９を制御する。例えば、差分がしきい値より小さくなった場合には、システム制御部１５２は、音声出力のミュート処理をするように出力部１５９を制御する。差分がしきい値よりも大きい場合には、再生が継続される。
【００７７】
図１に示される例では、デジタル信号記録再生装置１００が「情報再生装置」に対応し、システム制御部１５２およびドライブ１５６が「音声を示す音声情報を少なくとも含む再生情報の再生終了時刻を検出する再生時刻検出部」に対応し、システム制御部１５２が「再生情報の再生時刻が、再生終了時刻から所定の時間前である基準時刻を経過したか否かを判定する判定部」に対応し、システム制御部１５２および出力部１５９が「再生時刻が基準時刻を経過したと判定された場合には、再生時刻が再生終了時刻に至るまで、基準時刻における音声情報の出力レベルよりも低い出力レベルで音声情報を再生する音声情報再生部」に対応する。
【００７８】
しかし、本発明のデジタル信号記録再生装置１００が図１に示されるものに限定されるわけではない。本発明のデジタル信号記録再生装置１００は、上述した「情報再生装置」、「音声を示す音声情報を少なくとも含む再生情報の再生終了時刻を検出する再生時刻検出部」、「再生情報の再生時刻が、再生終了時刻から所定の時間前である基準時刻を経過したか否かを判定する判定部」および「再生時刻が基準時刻を経過したと判定された場合には、再生時刻が再生終了時刻に至るまで、基準時刻における音声情報の出力レベルよりも低い出力レベルで音声情報を再生する音声情報再生部」の機能を有する限り、任意の構成を有し得る。
【００７９】
再生時刻が基準時刻を経過したと判定された場合に再生される音声情報の出力レベルが、再生時刻が再生終了時刻に至るまで、基準時刻における音声情報の出力レベルよりも低い出力レベルである限りは、再生時刻が再生終了時刻に至るまでの出力レベルの時間遷移は任意でよい。例えば、再生時刻が基準時刻を経過したと判定された場合には、システム制御部１５２は、再生時刻が再生終了時刻に至るまで、基準時刻における出力レベルを所定の出力レベルまで下げながら音声データを再生するように、出力部１５９を制御する。例えば、再生時刻が基準時刻を経過したと判定された場合には、システム制御部１５２は、再生時刻が所定の時刻に至るまで、基準時刻における出力レベルを所定の出力レベルまで下げながら音声データを再生するように、出力部１５９を制御し、再生時刻が所定の時刻から再生終了時刻に至るまで、出力レベルを所定のレベルに維持しながら音声データを再生するように出力部１５９を制御してもよい。
【００８０】
所定の時刻（Ｔ）は、基準時刻（Ｔ１）から再生終了時刻（Ｔ２）までの間の何れかの時刻（Ｔ１＜Ｔ＜Ｔ２）である。所定のレベルが基準時刻における音声データの出力レベルよりも低い限りは、任意のレベルでよい。所定のレベルは、例えば、ゼロレベルである。
【００８１】
ＭＰＥＧ方式ではバッファ内にデータを蓄積できる時間が限定されている。静止画データを除く全てのデータはバッファに入力されてから１秒以内にバッファからデコーダへ出力されなければならない。したがって、映像データと音声データとの多重化によって映像データと音声データとの間に生じるずれは最大で１秒である（ＭＰＥＧ方式の１秒ルール）。
【００８２】
ＭＰＥＧ方式の１秒ルールを考慮した場合、しきい値は１秒であることが妥当である。しかし、しきい値は１秒に限らない。ユーザがしきい値を自由に設定してもよい。例えば、ユーザは、デジタル信号記録再生装置１００の外部に備えられたリモコン（図示せず）によって、しきい値情報（所定の時間を示す所定時間情報）を生成する。ユーザは、このリモコンを操作することによって、しきい値情報をデジタル信号記録再生装置１００に入力する。例えば、ユーザは、デジタル信号記録再生装置１００に備えられたボタン（図示せず）をプッシュすることによって、しきい値情報を選択する。ユーザは、このボタンをさらにプッシュすることによって、しきい値情報をデジタル信号記録再生装置１００に入力する。
【００８３】
情報格納部１６０は、例えば、デジタル信号記録再生装置１００に内蔵された情報記録媒体（例えば、ＨＤＤ）であるが、情報格納部１６０は、デジタル信号記録再生装置１００に内蔵されていない情報記録媒体（リムーバブルメディア：例えば、ＤＶＤ−ＲＡＭ）でもよい。他社システムでＡＶ情報を記録したリムーバブルメディアのＡＶ情報を再生する場合には、再生動作の品質を保つためには、本発明の再生方法が特に有効である。他社システムで記録した場合には、ＡＶ情報記録時にノイズ対策がなされていないからである。
【００８４】
ＡＶ情報記録時に、デジタル信号記録再生装置１００は、媒体タイプタグ情報を情報格納部１６０に記録してもよい。媒体タイプタグ情報は、情報格納部１６０がデジタル信号記録再生装置１００に内蔵された媒体であることを示す。
【００８５】
ＡＶ情報記録時にノイズ対策がなされる自社システムで情報格納部１６０にＡＶ情報を記録する場合には、ノイズ対策済みを示すノイズ対策済みタグ情報を情報格納部１６０に記録してもよい。
【００８６】
媒体タイプタグ情報、またはノイズ対策済みタグ情報が記録されている情報格納部１６０からＡＶ情報を再生する場合には、本発明の再生方法を実施しないように設計することで、システム制御部１５２の負荷を低減できる。
【００８７】
システム制御部１５２は、再生開始時にドライブ１５６を制御することによって、情報格納部１６０から媒体タイプタグ情報やノイズ対策済みタグ情報を入手する。
【００８８】
同じ時刻に再生される映像データと音声データのうち、映像データが音声データに先行して多重化されるが、音声データが映像データに先行して多重化されることも可能である。映像データとして圧縮率の高い簡単な画像を示すデータを用意し、音声データを不必要に早く転送した場合は、音声データが映像データに先行して多重化される。しかし、この場合でも映像データと音声データとの多重化によって映像データと音声データとの間に生じるずれは最大で１秒である。
【００８９】
音声データが映像データに先行して記録される場合は、再生終了時刻間際で映像が歪む。この場合には、映像データの再生をミュート処理（例えば、静止画像を表示、ブラックアウト）してもよい。
２．デジタル信号記録再生装置１００の視聴動作
図２は、デジタル信号記録再生装置１００の視聴動作手順を示す。以下、図２に示される視聴動作手順を各ステップごとに説明する。
【００９０】
ステップＳ１００１：ユーザーは所望のチャンネルを選択し、所望のチャンネル選択要求をユーザインターフェース部１５１に発行する。
【００９１】
ステップＳ１００２：ユーザインターフェース部１５１はチャンネル選択要求を受け付け、チャンネル選択要求をシステム制御部１５２に伝える。
【００９２】
ステップＳ１００３：システム制御部１５２は、入力部１５３が所望のチャンネルに設定されるように、チャンネル選択要求に基づいて入力部１５３を制御する。
【００９３】
ステップＳ１００４：入力部１５３が所望のチャンネルに設定され、入力部１５３がトランスポートストリームを受信し始めたら、システム制御部１５２はトランスポートストリームの中から、セクション情報（Ｐｒｏｇｒａｍ  Ａｓｓｏｃｉａｔｉｏｎ  Ｔａｂｌｅ（以下、ＰＡＴと記載する）とＰＭＴ：ＴＳ  Ｐｒｏｇｒａｍ  Ｍａｐ  Ｔａｂｌｅ（以下、ＰＭＴと記載する））を抜き出すようにＴＳＤ１５４を制御する。
【００９４】
ステップＳ１００５：システム制御部１５２は、ＰＡＴとＰＭＴとを取得する。システム制御部１５２はＰＡＴとＰＭＴとを解析し、選択されたチャンネルのＡＶデータ（番組）を構成するエレメンタリーストリームのＰａｃｋｅｔ  Ｉｎｄｅｎｔｉｆｉｅｒ（以下、ＰＩＤと記載する）を見つける。システム制御部１５２は、ＰＩＤによって示されたＴＳパケットと一部のセクションデータだけを含むＴＳパケットとを録画バッファ１５５および再生バッファ１５７に転送するように、ＴＳＤ１５４を制御する。
【００９５】
ステップＳ１００６：ＴＳＤ１５４から転送されるパーシャルトランスポートストリームは、録画バッファ１５５と再生バッファ１５７とに同時に出力される。
【００９６】
ステップＳ１００７：再生バッファ１５７に送られたトランスポートストリームをデコーダ部１５８でデコードし、デコードされたトランスポートストリームを出力部１５９に送ることによって、視聴が実現される。
【００９７】
視聴中に、再生バッファ１５７のみではなく、録画バッファ１５５にもパーシャルトランスポートストリームが出力される理由を説明する。
【００９８】
ユーザーは出力部１５９を使ってＡＶ情報を視聴する場合、出力部１５９のビデオフレームの時刻と入力部１５３のビデオフレームの時刻との間には時間差がある。これは入力部１５３から出力部１５９の間にはいくつかのバッファが存在するためである。
【００９９】
図３は、モニタのビデオフレームの時刻とデジタルチューナのビデオフレームの時刻との間の時間差を示す。
【０１００】
モニタ６４が、時刻０５：０３のビデオフレームを表示している時に、デコーダ部６３は、時刻０５：０４のビデオフレームをデコードし、時刻０５：０４のビデオフレームの表示の準備が完了している。このとき、デコーダ部６３には、３フレーム分のデータが蓄積されている。
【０１０１】
再生バッファ６２が、デコーダ部６３とデジタルチューナ６１との間に備えられている。再生バッファ６２は、３フレーム分のデータを蓄積している。
【０１０２】
デジタルチューナ６１は時刻０５：１０のビデオフレームを受信しているため、デジタルチューナ６１とモニタ６４との間には６ビデオフレームの時間差が生じる。したがって、０５：０４の画面を見ているユーザが録画ボタンを押すことによってデジタルチューナ６１に受信されたトランスポートストリームを記録すると、録画開始時にモニタ画面で見ていたフレームの６ビデオフレーム後ろからしか録画出来ない。
【０１０３】
そこで、視聴予定のデータを常に録画バッファ１５５に出力する。
【０１０４】
図４および図５は、視聴予定のデータの録画バッファ７５への出力を示す。
【０１０５】
デコーダ部７４が時刻０５：０４のビデオフレームをデコードしており、デジタルチューナ７１が時刻０５：１０のビデオフレームを受信している場合でも、録画バッファ７５に時刻０５：０１から時刻０５：０８までのビデオフレームが蓄積されているため、指定された時刻までデータを遡ることができる。
【０１０６】
録画バッファ７５がリングバッファである場合には、録画バッファ７５がトランスポートストリームで一杯になっても、最も古いトランスポートストリームが新しいトランスポートストリームに上書きされる。したがって、録画バッファ７５には常に新しいトランスポートストリームが一時的に蓄積される。
【０１０７】
このように、再生バッファ１５７のみではなく、録画バッファ１５５にもパーシャルトランスポートストリームを出力することによって、録画ボタンを押したときにデコード中（もしくはモニタで表示中）だったデータをＨＤＤ７７に記録できる。
３．デジタル放送記録再生装置１００の録画動作
図６は、デジタル信号記録再生装置１００の録画動作手順を示す。以下、図６に示される録画動作手順を各ステップごとに説明する。
【０１０８】
ステップＳ１１０１：デジタル放送を視聴中にユーザーがデジタル信号記録再生装置１００の録画ボタン（図示せず）を押すと、ユーザインターフェース部１５１は録画要求を受け付け、ユーザインターフェース部１５１は録画要求をシステム制御部１５２に発行する。
【０１０９】
ステップＳ１１０２：システム制御部１５２は、デコーダ部１５８に現在デコードしているデータが表示される時刻を問い合わせ、現在デコードしているデータの表示時刻を入手する。システム制御部１５２は、表示時刻とシステム制御部１５２が管理しているＧＯＰ情報のＧＯＰ先頭ＰＴＳとを比較し、現在表示しているデータを含むＧＯＰを探索する。ＧＯＰ先頭ＰＴＳと表示時刻との比較の詳細は、後述される。
【０１１０】
ステップＳ１１０３：システム制御部１５２は、ＧＯＰ情報に基づいてＧＯＰの録画バッファ１５５上のアドレスを求め、ＧＯＰの録画バッファ１５５上のアドレスに録画バッファ１５５のＲｅａｄポインタを設定する。
【０１１１】
ステップＳ１１０４：システム制御部１５２は、情報格納部１６０にストリームファイルを記録するためのファイルを作成する。システム制御部１５２は、作成したファイルにストリームファイルをＧＯＰ単位で書き込むように、ドライブ１５６に指示する。予め録画バッファ１５５に蓄積されていたＧＯＰを全て書き出した後は、ＴＳＤ１５４からＧＯＰ検出が通知される毎にファイルにＧＯＰが書き込まれる。
【０１１２】
ステップＳ１１０５：システム制御部１５２は、ストリームファイルを記録すると同時に、そのストリームファイルを管理するための管理情報を生成する。
【０１１３】
ステップＳ１１０６：システム制御部１５２は、録画開始時にデコーダ部１５８から入手した表示時刻に基づいて再生開始時刻を設定する。再生終了時刻はＧＯＰ情報を入手する毎にそのＧＯＰのＰＣＲに上書き更新される。記録したストリームを再生する場合、再生区間情報に基づいて、ユーザーが意図した区間のストリームを再生できる。また、ＧＯＰ管理テーブルに含まれる各ＧＯＰのファイル内でのＯＦＦＳＥＴとサイズと先頭ＰＴＳとは、飛び込み再生や特殊再生に利用される。
【０１１４】
ステップＳ１１０７：ユーザーが終了ボタンを押した場合、ユーザインターフェース部１５１が録画停止要求を受け付け、システム制御部１５２に録画停止要求を発行する。
【０１１５】
ステップＳ１１０８：システム制御部１５２は、録画停止要求を受け取ると、デコーダ部１５８に現在表示時刻を要求し、デコーダ部１５８から現在表示時刻を取得する。
【０１１６】
ステップＳ１１０９：管理情報に含まれる再生終了時刻情報は、最終的にここでデコーダ部１５８から取得した表示時刻に設定される。システム制御部１５２が最後の書き込み要求をＴＳＤ１５４から受けた時に、ＧＯＰ記録が終了する。最後の書き込み要求とは、システム制御部１５２が録画停止要求を受けた時に、ＴＳＤ１５４から通知されたＧＯＰ書き込み要求である。
【０１１７】
ステップＳ１１１０：ＧＯＰ記録を終了したときに、システム制御部１５２は、ストリームファイルをＣＬＯＳＥし、管理情報を情報格納部１６０に格納する。
【０１１８】
図７は、ＧＯＰ先頭ＰＴＳと表示時刻との比較を示す。
【０１１９】
管理しているＧＯＰ情報のＧＯＰ先頭ＰＴＳと表示時刻との比較に基づいて、現在表示しているデータを含むＧＯＰを探索する。デコーダ部９４は、デコード中のビデオフレームを含むＧＯＰを録画バッファ９５から探索する。
４．デジタル信号記録再生装置１００の再生動作
図８は、デジタル信号記録再生装置１００の再生動作手順を示す。以下、図８に示される再生動作手順を各ステップごとに説明する。
【０１２０】
ステップＳ１２０１：デジタル放送を視聴中にユーザがデジタル信号記録再生装置１００の再生ボタン（図示せず）を押すと、システム制御部１５２はＴＳＤ１５４を制御し、入力部１５３から再生バッファ１５７に流れていたストリームを遮断する。
【０１２１】
ステップＳ１２０２：システム制御部１５２は、再生開始時にドライブ１５６を制御することによって、情報格納部１６０から管理情報を入手する。システム制御部１５２は、再生情報の再生終了時刻を検出する。例えば、システム制御部１５２は、再生開始時にドライブ１５６を制御することによって、情報格納部１６０から再生情報の再生終了時刻情報Ｔｅｎｄを入手する。再生情報の再生終了時刻情報Ｔｅｎｄは、管理情報に含まれている。
【０１２２】
ステップＳ１２０３：システム制御部１５２は、再生情報記録位置と再生情報サイズを指定し、情報格納部１６０からＧＯＰを読み出すように、ドライブ１５６に指示をする。ドライブ１５６は指定された再生情報記録位置および再生情報記録サイズに基づいて情報格納部１６０からＧＯＰを読み出し、再生バッファ１５７に転送する。
【０１２３】
ステップＳ１２０４：システム制御部１５２は、デコーダ部１５８に再生開始時刻と再生終了時刻とを設定し、ＧＯＰのデコードを指示する。デコーダ部１５８は、再生バッファ１５７からＧＯＰを読み出し、ＧＯＰをデコードし、デコードされたＧＯＰを出力部１５９に送る。
【０１２４】
ステップＳ１２０５：再生中、システム制御部１５２はデコーダ部１５８からＧＯＰ毎の再生時刻を入手することによって再生情報の現在時刻情報Ｔｃｕｒを検出する。
【０１２５】
ステップＳ１２０６：システム制御部１５２は、再生情報の再生時刻が再生終了時刻から所定の時間前である基準時刻を経過したか否かを判定する。例えば、システム制御部１５２は、再生情報の現在時刻情報Ｔｃｕｒと再生終了時刻情報Ｔｅｎｄの差分を計算し、差分がしきい値より小さいか否かを判定する。
【０１２６】
再生時刻が基準時刻を経過したと判定された場合には、処理はステップＳ１２０７に進む。
【０１２７】
再生時刻が基準時刻を経過していないと判定された場合には、処理はステップＳ１２０５に進む。例えば、差分がしきい値より大きい場合には、処理はステップＳ１２０５に進み、再生を継続する。
【０１２８】
ステップＳ１２０７：再生時刻が基準時刻を経過したと判定された場合には、システム制御部１５２は、再生時刻が再生終了時刻に至るまで、基準時刻における音声データの出力レベルよりも低い出力レベルで音声データを再生するように出力部１５９を制御する。例えば、差分がしきい値より小さくなった場合には、システム制御部１５２は、音声出力をミュート処理するように出力部１５９を制御する。
【０１２９】
ステップＳ１２０８：デコーダ部１５８は、再生終了時刻までＧＯＰをデコードしたら、デコード動作を終了し、再生が終了したことをシステム制御部１５２に通知する。システム制御１５２は、再生が終了したとの通知を受けて、視聴動作を再開する。
【０１３０】
なお、再生終了時刻に再生される映像データは、例えば、記録停止要求情報の受理時に記録中であった映像データ、または記録停止要求情報の受理時に表示中であった映像データである。また、再生終了時刻は、例えば、映像データに含まれるＰＴＳ、またはＰＣＲによって示される。
【０１３１】
図８に示される例では、ステップＳ１２０２が「音声を示す音声情報を少なくとも含む再生情報の再生終了時刻を検出するステップ」に対応し、ステップＳ１２０６が「再生情報の再生時刻が、再生終了時刻から所定の時間前である基準時刻を経過したか否かを判定するステップ」に対応し、ステップＳ１２０７が「再生時刻が基準時刻を経過したと判定された場合には、再生時刻が再生終了時刻に至るまで、基準時刻における音声情報の出力レベルよりも低い出力レベルで音声情報を再生するステップ」に対応する。
【０１３２】
しかし、再生動作手順が図８に示されるものに限定されるわけではない。再生動作手順は、上述した「音声を示す音声情報を少なくとも含む再生情報の再生終了時刻を検出するステップ」、「再生情報の再生時刻が、再生終了時刻から所定の時間前である基準時刻を経過したか否かを判定するステップ」および「再生時刻が基準時刻を経過したと判定された場合には、再生時刻が再生終了時刻に至るまで、基準時刻における音声情報の出力レベルよりも低い出力レベルで音声情報を再生するステップ」の機能を有する限り、任意の処理手順を有し得る。
【０１３３】
本発明の情報再生方法によれば、再生時刻が基準時刻を経過したと判定された場合には、再生時刻が再生終了時刻に至るまで、基準時刻における音声情報の出力レベルよりも低い出力レベルで音声情報を再生する。その結果、音声情報が記録されていないことに起因して発生するノイズを低減することができ、高品質なＡＶ情報を再生できる。
【０１３４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【０１３５】
【図１】本発明のデジタル信号記録再生装置１００の構成を示す図である。
【図２】デジタル信号記録再生装置１００の視聴動作手順を示すフローチャートである。
【図３】モニタのビデオフレームの時刻とデジタルチューナのビデオフレームの時刻との間の時間差を示す図である。
【図４】視聴予定のデータの録画バッファ７５への出力を示す図である。
【図５】視聴予定のデータの録画バッファ７５への出力を示す図である。
【図６】デジタル信号記録再生装置１００の録画動作手順を示すフローチャートである。
【図７】ＧＯＰ先頭ＰＴＳと表示時刻との比較を示す図である。
【図８】デジタル信号記録再生装置１００の再生動作手順を示すフローチャートである。
【図９】ＩピクチャとＰピクチャとＢピクチャとの時間相関を示す図である。
【図１０】ＭＰＥＧ−ＴＳシステムストリームの構成を示す図である。
【図１１】ＭＰＥＧ−ＴＳシステムデコーダ３００の構成を示す図である。
【図１２】ビデオフレーム、ビデオバッファ、ＭＰＥＧストリーム、およびオーディオデータを示す図である。
【符号の説明】
【０１３６】
１５１  ユーザインターフェース部
１５２  システム制御部
１５３  入力部
１５４  トランスポートストリームデコーダ
１５５  録画バッファ
１５６  ドライブ
１５７  再生バッファ
１５８  デコーダ部
１５９  出力部
１６０  情報格納部
【図１】
2005276246.tif 000003
【図２】
2005276246.tif 000004
【図３】
2005276246.tif 000005
【図４】
2005276246.tif 000006
【図５】
2005276246.tif 000007
【図６】
2005276246.tif 000008
【図７】
2005276246.tif 000009
【図８】
2005276246.tif 000010
【図９】
2005276246.tif 000011
【図１０】
2005276246.tif 000012
【図１１】
2005276246.tif 000013
【図１２】
2005276246.tif 000014